(57)【要約】      （修正有）【課題】電話機への着信のみに反応して犯罪被害に対する注意喚起用の音声を出力し犯罪を未然に防ぐことが可能な警告装置を提供する。【解決手段】警告装置は、警告装置本体と、上記警告装置本体に収容された音声出力装置とを有する。上記音声出力装置は、電話機Ｐへの着信を検出する検出部と、犯罪被害に対する注意喚起用のフレーズに対応する音声データを記憶する記憶部と、スピーカＳと、上記着信が検出された場合に、上記記憶された音声データを出力するように上記スピーカを制御する制御部とを有する。【選択図】図１
0003210381.tif 000002
【実用新案登録請求の範囲】
【請求項１】
警告装置本体と、
前記警告装置本体に収容された音声出力装置と
を具備し、
前記音声出力装置は、
電話機への着信を検出する検出部と、
犯罪被害に対する注意喚起用のフレーズに対応する音声データを記憶する記憶部と、
スピーカと、
前記着信が検出された場合に、前記記憶された音声データを出力するように前記スピーカを制御する制御部と
を有する警告装置。
【請求項２】
請求項１に記載の警告装置であって、
前記検出部は、前記電話機に設置され当該電話機の着信音を検出するマイク本体を一端に有し、前記音声出力装置の本体に接続される接続端子を他端に有するマイクケーブルを有する
警告装置。
【請求項３】
請求項１に記載の警告装置であって、
前記検出部は、
前記電話機用のモジュラーコンセントと前記音声出力装置の本体とを接続可能な第１のモジュラーケーブルと、
前記音声出力装置の本体と前記電話機とを接続可能な第２のモジュラーケーブルとを有する
警告装置。
【請求項４】
請求項１乃至３のいずれかに記載の警告装置であって、
前記制御部は、前記着信が検出されなくなった場合に、前記音声データの出力を停止するように前記スピーカを制御する
警告装置。
【請求項５】
請求項１乃至４のいずれかに記載の警告装置であって、
前記記憶部は、複数の異なる注意喚起用のフレーズに対応する複数の音声データを記憶し、
前記制御部は、前記着信の度に、前記複数の音声データをランダムに出力するように前記スピーカを制御する
警告装置。
【請求項６】
請求項１乃至５のいずれかに記載の警告装置であって、
前記警告装置本体は発光部を有し、
前記制御部は、前記着信が検出された場合に、前記音声データの出力とともに、前記発光部を発光させる
警告装置。
【考案の詳細な説明】
【技術分野】
【０００１】
本考案は、音声出力機能を有する警告装置に関する。
【背景技術】
【０００２】
従来から、音声出力機能を有する人形玩具やぬいぐるみ玩具が知られている。
【０００３】
例えば、下記特許文献１には、音を検出すると記憶された音声を出力する音声出力装置を内部に有するぬいぐるみ玩具が開示されている。
【先行技術文献】
【特許文献】
【０００４】
【特許文献１】特開２０１４−０９４０２７号公報
【考案の概要】
【考案が解決しようとする課題】
【０００５】
しかしながら、特許文献１に記載の技術では、ぬいぐるみ玩具は検出したあらゆる種類の音に反応してしまうため、特定の音のみに反応して音声を出力させる用途には向かない。
【０００６】
ところで、近年、主に高齢者である攻撃対象者に電話をして、その家族や親族などの身内の者あるいは公的団体の職員を装い、攻撃対象者に口座への振り込みを行わせたり、攻撃対象者から直接の現金を受け取ったりすることで金銭を詐取する、いわゆる「振り込め詐欺」が問題となっている。
【０００７】
この振り込め詐欺を防止すべく、高齢者等に電話に出る前に注意を喚起するために、注意喚起用の音声出力機能を有する人形玩具を用いようとしても、上記特許文献１の技術では、電話の着信音以外のあらゆる音にも玩具が反応して注意喚起音声を出力してしまうため、実用的でない。
【０００８】
以上のような事情に鑑み、本考案の目的は、電話機への着信のみに反応して犯罪被害に対する注意喚起用の音声を出力し、犯罪被害を未然に防ぐことが可能な警告装置を提供することにある。
【課題を解決するための手段】
【０００９】
上記目的を達成するため、本考案の一形態に係る警告装置は、警告装置本体と、上記警告装置本体に収容された音声出力装置とを有する。上記音声出力装置は、電話機への着信を検出する検出部と、犯罪被害に対する注意喚起用のフレーズに対応する音声データを記憶する記憶部と、スピーカと、上記着信が検出された場合に、上記記憶された音声データを出力するように上記スピーカを制御する制御部とを有する。
【００１０】
これにより、電話機への着信のみに反応して犯罪被害に対する注意喚起用の音声を出力することが可能となり、ひいては、上記音声をユーザが聞くことで、上記犯罪被害が未然に防止される。上記注意喚起用のフレーズとは、例えばいわゆる振り込め詐欺に対する注意を喚起するフレーズであり、より具体的には、「怪しい電話には気を付けてね。」、「この電話、振り込め詐欺かもしれません。注意してね。」といったフレーズであるが、これらに限られない。ここで警告装置（本体）は、例えば人形玩具の形態とされる。しかし、これ以外にも警告装置は、例えば置物や置時計等、電話機の近傍に載置可能な形態の物であればどのような形態にも構成し得る。
【００１１】
上記検出部は、上記電話機に設置され当該電話機の着信音を検出するマイク本体を一端に有し、上記音声出力装置の本体に接続される接続端子を他端に有するマイクケーブルを有していてもよい。
【００１２】
この場合、マイク本体は、例えば両面テープによって電話機の筐体に貼付されてもよいし、フック等によって電話機のいずれかの場所に係止されてもよい。より好ましくは、マイク本体は、電話機の着信音を発するスピーカの近傍に設置される。
【００１３】
上記検出部は、上記電話機用のモジュラーコンセントと上記音声出力装置の本体とを接続可能な第１のモジュラーケーブルと、上記音声出力装置の本体と上記電話機とを接続可能な第２のモジュラーケーブルとを有していてもよい。
【００１４】
すなわち、この場合警告装置は、モジュラーコンセントと電話機との間に２本のモジュラーケーブルを介して接続される。ここで、第１のモジュラーケーブルと第２のモジュラーケーブルのいずれかは、電話機に元々接続されていたケーブルであってもよい。
【００１５】
上記制御部は、上記着信が検出されなくなった場合に、上記音声データの出力を停止するように上記スピーカを制御してもよい。
【００１６】
これにより、ユーザが着信に応じた場合に音声データが通話の邪魔になるのを防止することができ、またユーザが着信に応じることなく着信が止んだ場合に音声データが無駄に出力され続けるのを防止することができる。
【００１７】
上記記憶部は、複数の異なる注意喚起用のフレーズに対応する複数の音声データを記憶してもよい。この場合上記制御部は、上記着信の度に、上記複数の音声データをランダムに出力するように上記スピーカを制御してもよい。
【００１８】
これにより、複数の異なるフレーズがランダムに出力されることで、ユーザが音声データの出力に慣れてしまい注意喚起効果が薄れてしまうのを防止することができる。
【００１９】
上記警告装置本体は発光部を有してもよく、この場合上記制御部は、上記着信が検出された場合に、上記音声データの出力とともに、上記発光部を発光させてもよい。
【００２０】
これにより、出力された注意喚起用のフレーズと併せて発光部の発光をユーザに認識させることで、注意喚起効果をより高めることができる。発光部は例えばＬＥＤで構成される。
【考案の効果】
【００２１】
本考案によれば、電話機への着信のみに反応して犯罪被害に対する注意喚起用の音声を出力することが可能な警告装置を提供することができる。しかし、この効果は本考案を限定するものではない。
【図面の簡単な説明】
【００２２】
【図１】本考案の一実施形態に係る人形玩具の外観及び当該人形玩具を含むシステムの構成を示した図である。
【図２】上記人形玩具の外観を示す底面図である。
【図３】上記人形玩具の内部に設けられたモジュールボックスの外観を示した図である。
【図４】上記モジュールボックスのハードウェア構成を示したブロック図である。
【図５】上記人形玩具の動作の流れを示したフローチャートである。
【図６】本考案の他の実施形態に係る人形玩具の外観及び当該人形玩具を含むシステムの構成を示した正面図である。
【図７】本考案の他の実施形態に係る人形玩具のモジュールボックスのハードウェア構成の他の例を示したブロック図である。
【考案を実施するための形態】
【００２３】
以下、図面を参照しながら、本考案の実施形態を説明する。
【００２４】
［人形玩具及びそれを用いたシステムの概要］
図１は、本考案に係る警告装置の一実施形態としての人形玩具の外観を示す正面図及び当該人形玩具を含むシステムの構成を示した図である。また図２は、上記人形玩具の外観を示す底面図である。
【００２５】
これらの図に示すように、本実施形態に係る人形玩具１００は、人形本体１と、マイクケーブル５と、モジュールボックス１０とを有する。人形玩具１００は、固定電話回線の電話機Ｐの近傍に置かれる。
【００２６】
本実施形態では、上記マイクケーブル５とモジュールボックス１０とによって音声出力装置が構成される。音声出力装置は、電話機Ｐへの着信時に、ユーザにいわゆる振り込め詐欺等の犯罪被害に対する注意喚起用のフレーズに対応する音声を出力する。ユーザは主に高齢者が対象とされるが、これに限られない。
【００２７】
人形本体１は、例えば４歳程度の女児に似せて成型されたぬいぐるみ人形であり、その表面は例えばポリエステル等の布製で、その内部に綿等が詰められている。人形本体１の高さ（座高）は約２２０ｍｍであるが、これに限られない。
【００２８】
マイクケーブル５は、電話機Ｐへの着信を検出する検出部として機能する。マイクケーブル５は、電話機Ｐに設置され、電話機Ｐへの着信時に着信音を検出するマイク本体５ａを一端に有する。当該マイク本体５ａには、モジュールボックス１０に接続される接続端子（図示せず）を他端に有する端子ケーブル５ｂが接続されている。
【００２９】
マイク本体５ａは、例えば両面テープや面ファスナー等によって電話機Ｐの筐体に貼付されることで設置されるが、その他にも、フック等によって係止されることで設置されてもよい。好ましくは、マイク本体５ａは、電話機Ｐの、着信音を発するスピーカＳの近傍に設置される。
【００３０】
また人形本体１の、例えば胴体部分正面には、電話機Ｐへの着信時に、上記フレーズに対応する音声の出力に同期して点灯（発光）してユーザに注意を喚起するためのＬＥＤ７が設けられている。
【００３１】
モジュールボックス１０は、上記マイクケーブル５によって検出された着信音に応じて音声を出力するための制御ボックスであり、上記人形本体１の内部空間に収容されている。図２に示すように、人形本体１の例えば底部には、上記内部空間に通じる開口部１ａが例えばファスナー等を介して開閉可能に設けられており、モジュールボックス１０は、当該開口部１ａから着脱可能に挿入される。
【００３２】
［モジュールボックスのハードウェア構成］
図３は、上記モジュールボックス１０の外観を示した図であり、図４は、当該モジュールボックス１０のハードウェア構成を示したブロック図である。
【００３３】
図３に示すように、モジュールボックス１０は、外部から視認可能なハードウェアとして、スピーカ１６、音量調整ダイアル１６ａ、マイク入力端子１９、感度調整ダイアル１９ａ、電源スイッチ２０ａ、ＡＣ−ＤＣアダプタジャック２０ｂを有する。
【００３４】
スピーカ１６は、犯罪被害に対する注意喚起用の複数の異なるフレーズに対応する複数の音声データのいずれか、及びその他の各種音声データを出力する。
【００３５】
音量調整ダイアル１６ａは、上記スピーカ１６から出力される音声データの音量を調整可能である。感度調整ダイアル１９ａは、上記マイク本体５ａの入力感度を調整可能である。電源スイッチ２０ａは、電源２０のＯＮ／ＯＦＦを切り替え可能である。
【００３６】
マイク入力端子１９は、上記マイクケーブル５の端子ケーブル５ａの端子が接続される端子であり、当該マイク入力端子１９には、マイク本体５ａが検出した着信音が電気信号として入力される。
【００３７】
電源２０は、商用電源のコンセントＣに接続可能なＡＣ−ＤＣアダプタ、または、上記モジュールボックス１０内に設置される一次電池（例えば単４型×４個）であり、モジュールボックス１０内の各部に電力を供給する。ＡＣ−ＤＣアダプタがコンセントＣに接続されている場合には、電源切替部４９によってＡＣアダプタからの供給回路が接続され、一次電池からの供給回路は切り離されるため一次電池は消耗しない。
【００３８】
また図４に示すように、モジュールボックス１０は、内部ブロックとして、マイク音声増幅部４１、ベル音認識・再生起動回路４２、ＬＥＦ発光部４３、振り込め詐欺アラーム起動部４４、電池アラーム起動部４５、音声録音・再生ＩＣ４６、再生音声増幅器４７、電池電圧監視部４８、電源切替部４９及び電圧安定化部５０を有する。
【００３９】
マイク音声増幅器４１は、上記マイク本体５ａが受けた周囲音（着信音）の信号を一定レベルに増幅する。
【００４０】
着信音認識・再生起動回路４２は、人の話し声や衝撃音等の非連続的な音には反応し難く、着信音のように一定期間連続した音に反応しやすいように、例えばフィルタやコンパレータ等で構成されており、上記増幅された信号を着信音として認識すると、音声再生（ＬＥＤ発光）起動信号を振り込め詐欺アラーム起動部４４及びＬＥＤ発光部４３へ出力する。
【００４１】
ＬＥＤ発光部４３は、上記起動信号を受けて、上記ＬＥＤ７を発光（例えば点滅）させる。
【００４２】
音声録音・再生ＩＣ４６は、振り込め詐欺等の犯罪被害に対する注意喚起用の複数のフレーズに対応する警告音声データと、上記一次電池の残量が少なくなった場合に電池の交換を促すフレーズに対応する警告音声データが録音されており、上記起動信号に応じてそれらの音声データを再生可能である。
【００４３】
上記注意喚起用の複数のフレーズは、例えば、以下のようなものであり、上記音声データは、上記人形本体１が模した４歳程度の女児の声を模して生成されたものである。
・「この電話、振り込め詐欺からかもしれませんよ。注意してね。」
・「知らない人からの電話は注意してね。」
・「電話でお金の話をしてきたらきっと詐欺だよ。」
・「あのね、『携帯番号が変わった。』って言ってきたら詐欺ですよ〜。」
・「ＡＴＭで還付金は受け取れませんよ〜。」
【００４４】
また、上記電池の交換を促すフレーズは、例えば、「そろそろ電池がなくなりますよ〜。交換してね。」等である。
【００４５】
電池電圧監視部４８は、モジュールボックス１０が一次電池を電源２０として動作している場合において、当該一次電池の電圧を監視しており、当該電圧が所定値（例えば３．９Ｖ）を下回った場合に、電池アラーム・振り込め詐欺アラーム起動部４５へ起動信号を出力する。
【００４６】
振り込め詐欺アラーム起動部４４は、上記一次電池の電圧が上記所定値以上である場合に、上記着信音認識・再生起動回路４２からの起動信号を受けて、音声録音・再生ＩＣ４６に録音された音声データのうち、上記注意喚起用のフレーズに対応する警告音声データを、再生音声増幅器４７によって増幅させてスピーカ１６から出力させる。
【００４７】
電池アラーム起動部４５は、上記電池電圧監視部４８から起動信号を受信した場合に、上記音声録音・再生ＩＣ４６に録音された、電池交換を促すフレーズに対応する警告音声データを、再生音声増幅器４７によって増幅させてスピーカ１６から出力させる。
【００４８】
電圧安定化部５０は、電源２０から供給された電力の電圧を、例えば３．３Ｖ等の一定電圧に安定化して各回路に供給する。ただし、再生音声増幅器４７には、スピーカ１６に最大電力を供給できるよう、電源２０から当該電圧安定化部５０を経由せずに電力が直接供給される。
【００４９】
［人形玩具の動作］
次に、以上のように構成された人形玩具１００の動作について説明する。図５は、当該人形玩具１００（モジュールボックス１０）の動作の流れを示したフローチャートである。
【００５０】
同図に示すように、モジュールボックス１０は、上記マイクケーブル５及び着信音認識・再生起動回路４２により、電話機Ｐへの着信音が検出されたか否かを判断する（ステップ５１）。
【００５１】
電話機Ｐへの着信音が検出されたと判断した場合（Ｙｅｓ）、モジュールボックス１０は、上記着信音認識・再生起動回路４２及び振り込め詐欺アラーム起動部４４により、上記音声録音・再生ＩＣに記憶された注意喚起用のフレーズに対応する複数の音声データの中から、例えばランダムに１つの音声データを選択し（ステップ５２）、当該音声データを再生音声増幅器４７を介してスピーカ１６から出力させる（ステップ５３）。
【００５２】
これによりユーザは、電話の相手が振り込め詐欺犯である可能性を意識し注意して電話に出ることになるため、万が一、当該着信が振り込め詐欺犯であったとしても、それに気付くことができ、犯罪被害が防止される。
【００５３】
複数の異なる音声データがランダムに選択されることで、ユーザが１つの音声データの出力に慣れてしまい注意喚起効果が薄れてしまうのを防止することができる。
【００５４】
続いてモジュールボックス１０は、上記着信音認識・再生起動回路４２により、上記電話機Ｐへの着信音が検出されなくなったか否かを判断する（ステップ５４）。
【００５５】
着信音が検出されていると判断した場合（Ｎｏ）、モジュールボックス１０は、上記振り込め詐欺アラーム起動部４４による上記スピーカ１６からの上記音声データの出力を継続させる。この際、モジュールボックス１０は、１つのフレーズに対応する音声データの出力が終わった場合、同じフレーズに対応する音声データを繰り返し出力させてもよいし、他のフレーズに対応する音声データを選択して出力させてもよい。
【００５６】
一方、着信音が検出されなくなったと判断した場合（Ｙｅｓ）、モジュールボックス１０は、上記振り込め詐欺アラーム起動部４４による上記スピーカ１６からの音声データの出力を停止する（ステップ５５）。着信音が検出されなくなる状況としては、ユーザが受話器Ｒを上げて着信に応答した場合や、ユーザが着信に応じる前に着信が止んだ場合が考えられる。したがって、ユーザが着信に応じた場合に音声データが通話の邪魔になったり、着信が止んでも音声データが無駄に出力され続けたりするのを防ぐことができる。
【００５７】
［まとめ］
以上説明したように、本実施形態によれば、人形玩具１００は、それを電話機Ｐの傍らに置いてマイクケーブル５を電話機Ｐに設置しておくだけで、電話機Ｐへの着信のみに反応して犯罪被害に対する注意喚起用の音声を出力することができ、ひいては犯罪被害を未然に防ぐことができる。
【００５８】
［変形例］
本考案は上述の実施形態にのみ限定されるものではなく、本考案の要旨を逸脱しない範囲内において種々変更され得る。
【００５９】
上述の実施形態では、電話機Ｐへの着信を検出する検出部として、着信音を検出するマイクケーブル５が用いられた。しかし、人形玩具１００は、着信音を検出する代わりに、着信時に電話機Ｐに交換機から送られる呼出信号（１６Ｈｚの交流）を検出することで、着信を検出してもよい。図６は、この場合の人形玩具の外観及び当該人形玩具を含むシステムの構成を示した図である。
【００６０】
同図に示すように、この例では、人形玩具１００は、上記検出部として、電話機Ｐ用のモジュラーコンセントＭと人形玩具１００のモジュールボックス１０とを接続する第１のモジュラーケーブル５１と、当該モジュールボックス１０と上記電話機Ｐとを接続する第２のモジュラーケーブル５２とを有する。
【００６１】
すなわち、人形玩具１００は、モジュラーコンセントＭと電話機Ｐとの間に２本のモジュラーケーブル５１及び５２を介して接続され、電話機Ｐへの着信（呼出信号）は、それらケーブルにより当該人形玩具１００を介して電話機Ｐへ送信される。
【００６２】
電話機Ｐへ着信があった場合、モジュールボックス１０は、モジュラーコンセントＭ及びモジュラーケーブル５１を介して交換機から送信された呼出信号（１６Ｈｚの交流）を検出することで、上記記憶された注意喚起用のフレーズに対応する音声データを出力するとともに、モジュラーケーブル５２を介して当該呼出信号を電話機Ｐへ転送する。当該呼出信号の転送により電話機Ｐから着信音が出力される。
【００６３】
ここで、第１のモジュラーケーブル５１と第２のモジュラーケーブル５２のうちいずれかとして、電話機Ｐに元々備えられていたモジュラーケーブルが使用されてもよい。
【００６４】
このように、着信音ではなく呼出信号を検出することによっても、電話機Ｐへの着信のみに反応して犯罪被害に対する注意喚起用の音声を出力することができる。
【００６５】
上述の実施形態では、犯罪被害に対する注意喚起用のフレーズとして、いわゆる振り込め詐欺に対する注意喚起用のフレーズが示された。しかし、振り込め詐欺以外の犯罪被害に対する注意喚起用のフレーズに対応する音声データが着信時に出力されてもよい。
【００６６】
上述の実施形態では、モジュールボックス１０の機能は、上記図４に示したようなアナログ回路によって実現されたが、当該機能は、例えば図７に示すようなデジタル回路（マイコン）によって実現されてもよい。すなわち、図７に示すように、モジュールボックス１０は、ＣＰＵ（Central Processing Unit）１１、ＲＯＭ（Read Only Memory）１２、ＲＡＭ（Random Access Memory）１３、入出力インタフェース１５、及び、これらを互いに接続するバス１４を備える。入出力インタフェース１５には、上記スピーカ１６及びマイク入力端子１９のほか、操作受付部１７、記憶部１８、電源２０が接続される。
【００６７】
ＣＰＵ１１は、必要に応じてＲＡＭ１３等に適宜アクセスし、各種演算処理を行いながら、モジュールボックス１０の各ブロック全体を統括的に制御する。特に本実施形態では、ＣＰＵ１１は、マイクケーブル５による着信音の検出に応じた、スピーカ１６からの音声データの出力処理及びＬＥＤ７の発光処理を制御する。ＲＯＭ１２は、ＣＰＵ１１に実行させるＯＳその他のプログラムや各種パラメータなどのファームウェアが固定的に記憶されている不揮発性のメモリである。ＲＡＭ１３は、ＣＰＵ１１の作業用領域等として用いられ、実行中のプログラム、処理中の各種データを一時的に保持する。記憶部１８は、例えばフラッシュメモリ（ＳＳＤ；Solid State Drive）等の不揮発性メモリである。当該記憶部１８には、上記ＯＳや各種アプリケーション、上記振り込め詐欺に対する注意喚起用のフレーズに対応する音声データや電池交換を促す音声データ等、各種データが記憶される。
【００６８】
このようなデジタル回路の構成によっても、上記実施形態と同様に、着信音に応じた注意喚起用の音声出力処理が実現可能である。
【００６９】
上述の実施形態においては、警告装置（本体）の一例として人形玩具が示された。しかし、これ以外にも警告装置は、単に上記モジュールボックス１０のような筐体で構成されていてもよいし、例えば置物や置時計等、電話機の近傍に載置可能なあらゆる形態の物として構成され得る。
【００７０】
上述の実施形態では、電話機Ｐとして固定電話機が示されたが、スマートフォンや携帯電話機、電話機の子機等の携帯型の電話機についても本考案は同様に適用可能である。
【符号の説明】
【００７１】
１…人形本体
５…マイクケーブル
５ａ…マイク本体
５ｂ…端子ケーブル
７…ＬＥＤ
１０…モジュールボックス
１１…ＣＰＵ
１６…スピーカ
１８…記憶部
１９…マイク入力端子
５１…第１モジュラーケーブル
５２…第２モジュラーケーブル
Ｐ…電話機
Ｓ…電話機スピーカ
Ｒ…受話器
Ｍ…モジュラーコンセント
【図１】
0003210381.tif 000003
【図２】
0003210381.tif 000004
【図３】
0003210381.tif 000005
【図４】
0003210381.tif 000006
【図５】
0003210381.tif 000007
【図６】
0003210381.tif 000008
【図７】
0003210381.tif 000009